(57)【要約】【課題】レシートの入れ間違いや交換忘れを防止する。【解決手段】ＰＯＳレジスタは、枚葉状のシートを発行するシート発行部と、シート発行部に収納されているシートの色を検出する検出手段と、シートの色を識別する情報を記憶する記憶手段と、検出手段により検出されたシートの色が記憶手段に記憶されたシートの色を識別する情報と一致またはシートの色を識別する情報の範囲内であるか否かを判定する判定手段と、判定手段による判定の結果を出力する出力手段と、を備える。【選択図】図３
2015201036.tif 000002
【特許請求の範囲】
【請求項１】
枚葉状のシートを発行するシート発行部と、
前記シート発行部に収納されているシートの色を検出する検出手段と、
前記シートの色を識別する情報を記憶する記憶手段と、
前記検出手段により検出されたシートの色が前記記憶手段に記憶された前記シートの色を識別する情報と一致またはシートの色を識別する情報の範囲内であるか否かを判定する判定手段と、
前記判定手段による判定の結果を出力する出力手段と、
を備えるシート発行装置。
【請求項２】
シートの種類を選択する選択手段を更に備え、
前記記憶手段は、前記シートの色を識別する情報をシートの種類ごとに記憶し、
前記判定手段は、前記検出手段により検出されたシートの色と、前記選択手段により選択されたシートの種類に対応する前記シートの色を識別する情報とを比較して判定する請求項１に記載のシート発行装置。
【請求項３】
前記シートの色を識別する情報は、シートの地の色またはシートの終わりを示す色であり、
前記シートの地の色または前記シートの終わりを示す色をシートの種類ごとに設定する設定手段を更に備え、
前記記憶手段は、前記設定手段により設定された前記シートの地の色、または、前記シートの終わりを示す色をシートの種類ごとに記憶する請求項１または請求項２に記載のシート発行装置。
【請求項４】
前記設定手段は、日付時刻及び又は出力情報をシートの種類ごとに設定し、
前記記憶手段は、前記設定手段により設定された前記日付時刻及び又は前記出力情報をシートの種類ごとに更に記憶する請求項３に記載のシート発行装置。
【請求項５】
計時する計時手段を更に備え、
前記選択手段は、前記計時手段が計時する日付時刻に対応する前記シートの種類を選択し、
前記出力手段は、前記選択手段が選択したシートの種類に対応する出力情報に基づいて、前記判定手段による判定の結果を出力する請求項２に記載のシート発行装置。
【請求項６】
前記シート発行部は、
枚葉状のシートを収納する収納部と、
前記収納部を覆うカバー部と、
前記カバー部の開閉を検出する開閉検出部と、
を備え、
前記判定手段は、前記開閉検出部が前記カバー部の閉を検出すると、前記検出手段が検出している色について判定し、
前記出力手段は、前記判定手段による判定の結果を出力する請求項１から請求項５のいずれか１項に記載のシート発行装置。
【発明の詳細な説明】
【技術分野】
【０００１】
本発明は、シート発行装置に関する。
【背景技術】
【０００２】
スーパーマーケットなどの店舗では、イベント等に応じて、色の異なるレシートを用いることがある。例えば、お客の来店頻度を上げるため、特売の時間帯や客数の少ない曜日などに、通常色（白）と異なる色（例えば黄色）のレシートを精算時に発行し、その精算金額とレシート色によって後日サービスカウンターで粗品がもらえるというサービスを行い、レシート自体にクーポンの様な付加価値を持たせることがある。
特許文献１には、用紙検出用のセンサの出力値と閾値とを比較して、画像形成処理に使用する用紙を検出する用紙検出装置が記載されている。
【先行技術文献】
【特許文献】
【０００３】
【特許文献１】特許第４３７１０１４号公報
【発明の概要】
【発明が解決しようとする課題】
【０００４】
しかしながら、色の異なるレシートの交換は、作業者の記憶や意識によって行われているため、レシートの入れ間違いや交換し忘れでお客に迷惑をかけることがあった。特許文献１に記載された用紙検出装置では、レシートの有無の検出は出来るが、レシートの入れ間違いや交換忘れを防止することはできない、という問題がある。
【０００５】
本発明は上記の点に鑑みてなされたものであり、その目的は、レシートの入れ間違いや交換忘れを防止することができるシート発行装置を提供することにある。
【課題を解決するための手段】
【０００６】
上記目的を達成するため、本発明の一態様に係るシート発行装置は、枚葉状のシートを発行するシート発行部と、前記シート発行部に収納されているシートの色を検出する検出手段と、前記シートの色を識別する情報を記憶する記憶手段と、前記検出手段により検出されたシートの色が前記記憶手段に記憶された前記シートの色を識別する情報と一致またはシートの色を識別する情報の範囲内であるか否かを判定する判定手段と、前記判定手段による判定の結果を出力する出力手段と、を備える。
【０００７】
この発明によれば、シート発行部に収納されているシートの色が記憶手段により記憶されたシートの色を識別する情報と一致またはシートの色を識別する情報の範囲内であるか否かを判定し、判定の結果を出力する。これにより、シートの入れ間違いや交換忘れを防止することができる。
【０００８】
また、本発明の一態様に係るシート発行装置において、シートの種類を選択する選択手段を更に備え、前記記憶手段は、前記シートの色を識別する情報をシートの種類ごとに記憶し、前記判定手段は、前記検出手段により検出されたシートの色と、前記選択手段により選択されたシートの種類に対応する前記シートの色を識別する情報とを比較して判定するようにしてもよい。
【０００９】
この発明によれば、シートの種類ごとにシートの色を識別する情報を記憶する。また、シートの種類を選択し、検出されたシートの色と選択されたシートの種類に対応するシートの色を識別する情報とを比較して判定する。これにより、複数種類あるシートのうちから少なくとも一つを選択して、選択したシートの種類に対応するシートの色を識別する情報と検出した色とを比較した判定結果を出力することができる。
【００１０】
また、本発明の一態様に係るシート発行装置において、前記シートの色を識別する情報は、シートの地の色またはシートの終わりを示す色であり、前記シートの地の色または前記シートの終わりを示す色をシートの種類ごとに設定する設定手段を更に備え、前記記憶手段は、前記設定手段により設定された前記シートの地の色、または、前記シートの終わりを示す色をシートの種類ごとに記憶するようにしてもよい。
【００１１】
この発明によれば、シートの地の色とシートの終わりを示す色とを組としてシートの種類ごとに設定して記憶することができる。
【００１２】
また、本発明の一態様に係るシート発行装置において、前記設定手段は、日付時刻及び又は出力情報をシートの種類ごとに設定し、前記記憶手段は、前記設定手段により設定された前記日付時刻及び又は前記出力情報をシートの種類ごとに更に記憶するようにしてもよい。
【００１３】
この発明によれば、シートの種類ごとに、日付時刻及び又は出力情報を更に設定して記憶することが出来る。
【００１４】
また、本発明の一態様に係るシート発行装置において、計時する計時手段を更に備え、前記選択手段は、前記計時手段が計時する日付時刻に対応する前記シートの種類を選択し、前記出力手段は、前記選択手段が選択したシートの種類に対応する出力情報に基づいて、前記判定手段による判定の結果を出力するようにしてもよい。
【００１５】
この発明によれば、現在の日付時刻に対応するシートの種類に応じた出力情報を出力することができる。
【００１６】
また、本発明の一態様に係るシート発行装置において、前記シート発行部は、枚葉状のシートを収納する収納部と、前記収納部を覆うカバー部と、前記カバー部の開閉を検出する開閉検出部と、を備え、前記判定手段は、前記開閉検出部が前記カバー部の閉を検出すると、前記検出手段が検出している色について判定し、前記出力手段は、前記判定手段による判定の結果を出力するようにしてもよい。
【００１７】
この発明によれば、シート発行部のカバー部が閉められた際に、収納されているシートの色について判定してその判定結果を出力することができる。
【発明の効果】
【００１８】
本発明によれば、シート発行部に収納されているシートの色が記憶手段により記憶されたシートの色を識別する情報と一致またはシートの色を識別する情報の範囲内であるか否かを判定し、判定の結果を出力する。これにより、シートの入れ間違いや交換忘れを防止することができる。
【図面の簡単な説明】
【００１９】
【図１】本発明の一実施形態によるＰＯＳシステムの構成図の一例である。
【図２】本実施形態におけるＰＯＳシステムに含まれるＰＯＳレジスタの外観正面図及び側面図の一例である。
【図３】本実施形態におけるＰＯＳレジスタの電気回路の構成を示すブロック図の一例である。
【図４】本実施形態におけるＰＯＳレジスタが備える印刷装置の外観構成を示す斜視図である。
【図５】本実施形態における印刷装置が備えるサーマルヘッドの外観構成図である。
【図６】本実施形態における印刷装置の印刷動作部分の断面図である。
【図７】本実施形態における印刷装置に収納されるロール紙を示す図である。
【図８】本実施形態におけるＰＯＳレジスタが記憶するレシート設定テーブルの一例を示す概略図である。
【図９】本実施形態におけるＰＯＳレジスタが記憶するレシート設定テーブルの設定方法を説明するための図である。
【図１０】本実施形態における検出センサが検出する色と出力する電圧値との関係を示すグラフである。
【図１１】本実施形態におけるＰＯＳレジスタが実行するレシート判定処理の動作手順を表すフローチャートである。
【図１２】本実施形態におけるＰＯＳレジスタが実行する開始判定処理の動作手順を表すフローチャートである。
【発明を実施するための形態】
【００２０】
以下、本発明の一実施形態を、図面を参照して説明する。図１は、本発明の一実施形態によるＰＯＳシステム１の構成図の一例である。ＰＯＳシステム１は、本図に示すように、Ｎ台のＰＯＳレジスタ２−１、ＰＯＳレジスタ２−２、…、ＰＯＳレジスタ２−Ｎ、監視装置（管理装置とも称する）３を含んで構成される。各装置は、ＬＡＮ（Ｌｏｃａｌ  Ａｒｅａ  Ｎｅｔｗｏｒｋ）を介して接続されている。また、当該ＬＡＮ上には、上記に加えて、ストアコントローラ４も接続されている。ＰＯＳレジスタ２−１、ＰＯＳレジスタ２−２、…、ＰＯＳレジスタ２−Ｎの夫々を特に区別しない場合にはＰＯＳレジスタ２と総称する。
【００２１】
ＰＯＳレジスタ２は、主に、購入される商品の登録を行う登録処理と、主に、登録された商品の代金決済を行う精算処理（会計処理、決済処理とも称する）とを実行するための装置である。即ち、ＰＯＳレジスタ２は、主に登録処理を行う登録装置の機能と主に精算処理を行う精算装置の機能とを兼ね備えたシート発行装置である。また、ＰＯＳレジスタ２は、レシートを発行するシート発行装置である。
【００２２】
監視装置３（例えば、パーソナルコンピュータ）は、例えば、各ＰＯＳレジスタ２の動作状況を監視する。例えば、監視装置３は、夫々のＰＯＳレジスタ２が精算処理中であるか否かや、夫々のＰＯＳレジスタ２において未精算取引（精算処理が未完了である取引）が存在するか否かなどを監視する。また、監視装置３は、夫々のＰＯＳレジスタ２に正しいレシートが収納されているか否かなどを監視する。
【００２３】
ストアコントローラ４（例えば、サーバ）は、例えば、外部（例えば、本部に設置されたサーバ）から商品マスタを受信して記憶する。商品マスタは、各商品の商品識別情報（例えばＪＡＮコード）、商品名称、販売価格などの商品情報を格納（保持）するファイルである。また、ストアコントローラ４は、ＰＯＳレジスタ２によって処理（生成）された取引情報を外部に送信する。
【００２４】
図２は、本実施形態におけるＰＯＳシステム１に含まれるＰＯＳレジスタ２の外観正面図及び側面図の一例である。図３は、本実施形態におけるＰＯＳレジスタ２の電気回路の構成を示すブロック図の一例である。図３において、符号１０１はＰＯＳレジスタ２の全体を制御するＣＰＵ（中央演算装置）であり、図示するように他の構成要素それぞれと接続されている。
【００２５】
ＣＰＵ１０１（計時手段）は、発振回路（非図示）の出力する発振信号に基づいて、現在の日付時刻及び曜日を計時する。また、ＣＰＵ１０１（選択手段）は、後述するレシート設定テーブルに基づいて、計時した日付時刻に対応するレシートの種類を選択する。また、ＣＰＵ１０１（判定手段）は、後述する開閉検出部が印刷装置１０（カバー部）の閉を検出した際に、後述する検出センサ３５により検出されたレシートの色が、選択したレシートの種類に対応するレシートの色を識別する情報と一致またはレシートの色を識別する情報の範囲内であるか否かを判定する。なお、ＣＰＵ１０１（判定手段）は、検出センサ３５から入力された検出信号をアナログ信号からデジタル信号に変換するＡ／Ｄコンバータを有している。また、ＣＰＵ１０１（出力手段）は、判定した結果を店員用表示部１０４、音声出力部１０９またはサインポール１１３に出力させる。例えば、ＣＰＵ１０１（出力手段）は、選択したレシートの種類に対応する出力情報に基づいて、判定の結果を出力する。また、ＣＰＵ１０１は、通信部１１０を介して、判定した結果を監視装置３またはストアコントローラ４に送信する。また、ＣＰＵ１０１（設定手段）は、レシートに関するレシート設定情報をレシート設定テーブルに設定する。
【００２６】
図３において、符号１０２は、種々の情報を記憶するＲＯＭ（Ｒｅａｄ  Ｏｎｌｙ  Ｍｅｍｏｒｙ）である。ＲＯＭ１０２は、例えば、ＣＰＵ１０１が実行するプログラムを記憶する。符号１０３は、種々の情報を記憶するＲＡＭ（Ｒａｎｄｏｍ  Ａｃｃｅｓｓ  Ｍｅｍｏｒｙ）である。ＲＡＭ１０３は、例えば、ＣＰＵ１０１によってＲＯＭ１０２から読み出された情報（例えば、上記プログラム）、ＣＰＵ１０１によって処理された情報等を記憶する。符号１１２は、種々の情報を記憶するハードディスクである。ハードディスク１１２は、例えば、ストアコントローラ４から取得した情報（例えば、商品マスタ）、ＣＰＵ１０１によって処理された情報等を記憶する。また、ハードディスク１１２（記憶手段）は、後述するレシート設定テーブルを記憶する。
【００２７】
図２及び図３において、符号１０４は、ＣＰＵ１０１の制御に従って店員向けに情報を表示する表示部として機能するほか、店員から入力操作を受け付ける操作部として機能する店員用表示部（タッチパネル）である。符号１０５は、商品登録の完了入力や精算時においてお客から受け取った預かり金額などの数字データ入力等を行うための操作部である。符号１０６は、ＣＰＵ１０１の制御に従ってお客向けに情報を表示する客用表示部である。
【００２８】
図２及び図３において、符号１０７は、貨幣（金銭）が収納される収納部（非図示）への入出金を制御する釣銭釣札機である。釣銭釣札機１０７は、ＰＯＳレジスタ２において、登録された商品の代金を現金にて決済するときに使用される。釣銭釣札機１０７は、貨幣（紙幣）を投入するための紙幣投入口（非図示）、貨幣（硬貨）を投入するための硬貨投入口（非図示）、貨幣（紙幣）を放出するための紙幣放出口（非図示）、貨幣（硬貨）を放出するための硬貨放出口（非図示）、投入又は放出される貨幣を計数する計数部（非図示）、投入口又は放出口と収納部の間の貨幣の搬送機構（非図示）などを有する。
【００２９】
釣銭釣札機１０７は、ＣＰＵ１０１の制御に従って、釣銭投入口された貨幣を計数し、収納部に収納する。また、釣銭釣札機１０７は、ＣＰＵ１０１の制御に従って、放出する貨幣を計数し、釣銭放出口から放出する。例えば、釣銭釣札機１０７は、精算時にお客から預かった貨幣を計数し、収納部に収納し、精算時にお客への釣り銭とする貨幣を計数し、釣銭放出口から放出する。
【００３０】
図３において、符号１０８は、コード情報（バーコード）を読み取るスキャナ部である。スキャナ部１０８は、読み取ったデータをＣＰＵ１０１へ供給する。例えば、スキャナ部１０８は、商品に貼付されたコード情報（例えば、ＪＡＮコード）を読み取り、そのデータをＣＰＵ１０１へ供給する。また例えば、スキャナ部１０８は、従業員カードに印刷されたコード情報を読み取り、そのデータをＣＰＵ１０１へ供給する。なお、図２にはスキャナ部１０８を示していないが、スキャナ部１０８は、ＰＯＳレジスタ２の装置本体に有線で接続され、読み取ったデータを有線で装置本体に送信する構成としてもよいし、無線によって装置本体に接続され、読み取ったデータを装置本体に無線によって送信するような構成としてもよい。図３において、符号１０９は、音声を出力する音声出力部である。
【００３１】
図３において、符号１１０は、ＣＰＵ１０１の制御に従ってＬＡＮを介して外部と通信する通信部である。具体的には、通信部１１０は、適宜、ストアコントローラ４から商品マスタを受信する。また、通信部１１０は、精算処理の完了後、ストアコントローラ４に取引情報を送信する。
【００３２】
また、通信部１１０は、処理状況を監視装置３に送信する。例えば、通信部１１０は、登録処理の完了時に登録処理の完了を示す通知を監視装置３に送信し、精算処理の完了時に精算処理の完了を示す通知を監視装置３に送信する。なお、通信部１１０は、上記に加え、登録処理の開始を示す通知や精算処理の開始を示す通知を監視装置３に送信してもよい。
【００３３】
なお、ＰＯＳレジスタ２は、ＬＡＮを介して外部と通信する通信部１１０に加えて、近距離無線通信（例えば、ブルートゥース（登録商標）、ＲＦＩＤ、赤外線通信）によって外部と通信する通信部（非図示）を備えてもよい。
【００３４】
図３において、符号１１１はＣＰＵ１０１の制御に従って撮像する撮像部（カメラ）である。例えば、撮像部１１１は、当該ＰＯＳレジスタ２を操作する店員、当該ＰＯＳレジスタ２による商品の登録や精算を受けているお客を撮像する。なお、図２には撮像部１１１を示していないが、撮像部１１１は、ＰＯＳレジスタ２の装置本体に有線で接続され、撮像画像を有線で装置本体に送信する構成としてもよいし、無線によって装置本体に接続され、撮像画像を装置本体に無線によって送信するような構成としてもよい。また、図３において、符号１１３は、サインポールである。
【００３５】
図２及び図３において、符号１０は、ＣＰＵ１０１の制御に従って印刷物を発行する印刷装置（レシート印字部）である。例えば、印刷装置１０は、精算処理の完了後、買上商品の明細情報等を印刷媒体に印刷してレシートとして発行する。
【００３６】
図５は、本実施形態における印刷装置１０が備えるサーマルヘッド２１の外観構成図である。図５（ａ）はサーマルヘッド２１の正面図であり、図５（ｂ）はサーマルヘッド２１の背面図であり、図５（ｃ）及び図５（ｄ）はサーマルヘッド２１の側面図である。なお、以下の説明において、印刷装置１０内に収納するロール紙７０のレシート（印刷媒体）７３を引き出していく方向（矢印Ａ方向）を前方、その反対方向を後方という。
【００３７】
図４は、本実施形態におけるＰＯＳレジスタ２が備える印刷装置１０の外観構成を示す斜視図である。
図示するように、印刷装置１０は、下部ケース１１（レシート受け部）と、下部ケース１１の後方側の上辺近傍部分とを軸として揺動して下部ケース１１の上面を開閉する（下部ケース１１を覆う）上部ケース９０（カバー部）とを具備する。
【００３８】
下部ケース１１の上面前方側には印刷媒体載置面１５が設けられ、後方側にはロール紙７０（ロール状のレシート）を収納する凹状のロール紙収納部１３が形成されている。また、印刷媒体載置面１５の前方にはプラテンローラ１７が設置されている。プラテンローラ１７は図示しないステッピングモータ等の駆動手段によって回転駆動される。ロール紙収納部１３は、ロール紙７０の略全体を収納する寸法形状に形成されており、本例の場合、ロール紙７０の回転軸７１を支持しないでロール紙収納部１３に投入するだけの、いわゆるドロップインタイプのものを用いている。プラテンローラ１７の前方には、カッター（可動側）１９Ａが設置されている。さらに、カッター１９Ａの前方には開閉検出部（マイクロＳＷ側）５００が設置されている。開閉検出部（マイクロＳＷ側）５００は、マイクロＳＷ（スイッチ）である。
【００３９】
上部ケース９０の下面前方側にはサーマルヘッド２１が設置され、さらにサーマルヘッド２１の前方側にはカッター（固定部）１９Ｂが設置されている。また、サーマルヘッド２１は、放熱板２４、ヘッド２６を含んで構成される。サーマルヘッド２１の後方側の一側部には、センサブロック２７が設置されている。センサブロック２７は、検出部収納部２９及びセンサカバー部３１を含んで構成される。センサブロック２７には、検出部収納部２９に検出センサ（検出手段）３５が設置され、検出センサ３５の両側には、一対の板状のセンサカバー部３１が設けられている。検出センサ３５は、発光受光部３５ａを有している。また、センサカバー部３１の上部３３は、図６で説明するようにレシート７３とは接触しないように、レシート７３の軌道が検出センサ３５に対して水平になり、検出センサ３５とレシート７３との距離を一定距離Ｌ１に保つことができる。
【００４０】
検出センサ３５は、レシート７３の色を検出するセンサである。検出センサ３５は、例えば、反射型の光センサ（反射型センサ）である。反射型センサは、発光部からの発光を対象物に向けて照射し、その反射光を検出する。反射型センサは、その反射光の強度により出力する電圧が変化する。検出センサ３５は、サーマルヘッド２１の後方に設置されているため、レシート７３が印刷される前に、レシート７３の色を検出することができる。また、検出センサ３５は、レシート７３がない場合には、照射した光の反射が、黒色のレシート７３における反射光より小さくなるように設定されている。
【００４１】
カッター１９Ｂの前方側には開閉検出部（凸部）５０１が設置され、上部ケース９０を降ろし印刷装置１０を閉じた状態にすると、開閉検出部（凸部）５０１が開閉検出部（マイクロＳＷ側）５００を押下する。これにより、ＣＰＵ１０１は、印刷装置１０が閉じた状態になったことを検出することができる。
【００４２】
図６は、本実施形態における印刷装置１０の印刷動作部分の断面図である。検出センサ３５によるレシート７３の色の検出精度を向上させるためには、検出センサ３５とレシート７３との距離を一定に保つ必要がある。このため、印刷装置１０は、検出センサ３５とレシート７３との距離を一定に保つために、検出センサ３５を収納するセンサブロック２７を備える。センサブロック２７は、センサカバー部３１によって、レシート７３の軌道が検出センサ３５に対して水平になり、検出センサ３５とレシート７３との距離を一定距離Ｌ１に保つように取り付けられている。
【００４３】
図７は、本実施形態における印刷装置１０に収納されるロール紙７０を示す図である。図示するように、レシート７３の終端近傍部分（レシート７３の終端から距離Ｌ２までの間）には、レシート７３の片端部分７５にレシート７３の終わりを示す色が配色されている。このレシート７３の終わりを示す色は、検出センサ３５が検出可能な位置に配色される。
【００４４】
なお、図７に示した例は一例であり、これに限られない。レシート７３の終わりを示す色は、右端でなく左端であってもよく、あるいはレシート７３の全体または少なくとも一部の領域に配色されたものであってもよい。さらに、レシート７３の終わりを示す色は、斜線であったり、模様であったり、文字であったり、記号等であってもよい。さらに、レシート７３の終わりを示す色は、上述した組み合わせであってもよい。レシート７３の終わりを示す色は、検出センサ３５が検出できる位置であればいずれに配色してもよい。また、検出センサ３５の個数は１つに限られず、複数であってもよく、さらには所定の範囲の色を検出できるセンサ、例えば面発光のセンサ等であってもよい。
【００４５】
次に、ＰＯＳレジスタ２が記憶する情報について説明する。図８は、本実施形態におけるＰＯＳレジスタ２が記憶するレシート設定テーブルの一例を示す概略図である。レシート設定テーブルには、レシート種類と、地の色と、電圧（Ｖｒ）と、終わりを示す色と、電圧（Ｖｅ）と、使用曜日と、使用開始時間と、使用終了時間と、開始時メッセージと、終わり検出時メッセージと、レシート比較ＮＧメッセージと、その他出力との各項目を有する。地の色と、電圧（Ｖｒ）と、終わりを示す色と、電圧（Ｖｅ）と、使用曜日と、使用開始時間と、使用終了時間と、開始時メッセージと、終わり検出時メッセージと、レシート比較ＮＧメッセージと、その他出力とがレシート設定情報である。また、地の色と、電圧（Ｖｒ）と、終わりを示す色と、電圧（Ｖｅ）とが、レシートの色を識別する情報である。また、開始時メッセージと、終わり検出時メッセージと、レシート比較ＮＧメッセージと、その他出力とが出力情報である。また、使用曜日と、使用開始時間と、使用終了時間とが日付時刻である。
【００４６】
レシート種類は、レシートの種類（種別）である。地の色は、レシートの表面色である。電圧（Ｖｒ）は、検出センサ３５が地の色を検出したときに出力する電圧の範囲である。終わりを示す色は、レシートがもうすぐなくなることを作業者に視覚的に伝えるために配色された色であり、地の色と異なる色である。電圧（Ｖｅ）は、検出センサ３５が終わりを示す色を検出したときに出力する電圧の範囲である。使用曜日は、レシートを使用する曜日である。使用曜日「全て」は全ての曜日を示す。使用開始時間は、レシートの使用を開始する時間である。使用終了時間は、レシートの使用を終了する時間である。使用開始時間及び使用終了時間における「その他」は、他のレシート種類のレシートが使用される時間以外の時間を示す。開始時メッセージは、レシートの使用を開始するときに出力するメッセージの識別情報である。終わり検出時メッセージは、検出センサ３５がレシートの終わりを示す色を検出したときに出力するメッセージの識別情報である。レシート比較ＮＧメッセージは、異なるレシートが印刷装置１０に収納されているときに出力するメッセージの識別情報である。その他出力は、サインポール１１３が出力する色である。
【００４７】
図示する例では、レシート種類「レシート（１）」に対応する、地の色は「白」であり、地の色「白」の電圧（Ｖｒ）は「０〜１．０Ｖ」であり、終わりを示す色は「ピンク」であり、終わりを示す色「ピンク」の電圧（Ｖｅ）は「２．５〜３．５Ｖ」であり、使用曜日は「全て」であり、使用開始時間は「その他」であり、使用終了時間は「その他」であり、開始時メッセージは「Ｄ」であり、終わり検出時メッセージは「Ｂ」であり、レシート比較ＮＧメッセージは「Ｃ」であり、その他出力は「白」である。レシート種類「レシート（２）」に対応する、地の色は「黄」であり、地の色「黄」の電圧（Ｖｒ）は「１．０〜２．０Ｖ」であり、終わりを示す色は「青」であり、終わりを示す色「青」の電圧（Ｖｅ）は「３．５〜４．０Ｖ」であり、使用曜日は「月・水・金」であり、使用開始時間は「１７：００」であり、使用終了時間は「１８：００」であり、開始時メッセージは「Ａ」であり、終わり検出時メッセージは「Ｂ」であり、レシート比較ＮＧメッセージは「Ｃ」であり、その他出力は「黄」である。
【００４８】
レシート種類「レシート（３）」に対応する、地の色は「赤」であり、地の色「赤」の電圧（Ｖｒ）は「２．０〜２．５Ｖ」であり、終わりを示す色は「黒」であり、終わりを示す色「黒」の電圧（Ｖｅ）は「４．０〜４．５Ｖ」であり、使用曜日は「火」であり、使用開始時間は「２１：００」であり、使用終了時間は「２３：００」であり、開始時メッセージは「Ａ」であり、終わり検出時メッセージは「Ｂ」であり、レシート比較ＮＧメッセージは「Ｃ」であり、その他出力は「赤」である。レシート種類「レシート（４）」に対応する、地の色は「青」であり、地の色「青」の電圧（Ｖｒ）は「３．５〜４．０Ｖ」であり、終わりを示す色は「白」であり、終わりを示す色「白」の電圧（Ｖｅ）は「０〜１．０Ｖ」であり、使用曜日は「土・日」であり、使用開始時間は「１１：００」であり、使用終了時間は「１３：００」であり、開始時メッセージは「Ａ」であり、終わり検出時メッセージは「Ｂ」であり、レシート比較ＮＧメッセージは「Ｃ」であり、その他出力は「青」である。
【００４９】
このレシート設定テーブルは、使用者や管理者によって設定及び編集が可能である。図９は、本実施形態におけるＰＯＳレジスタ２が記憶するレシート設定テーブルの設定方法を説明するための図である。本図には、設定画面を使ってレシート種類「レシート（１）」を設定する場合について示している。
なお、この設定画面の内容は、使用者や管理者によってタブやタブ内の項目の追加・削除等の編集が可能である。
【００５０】
ＣＰＵ１０１は、操作部１０５がレシート設定テーブルを設定するための操作入力を受け付けると、設定画面（図９（ａ）または図９（ｂ）参照）を店員用表示部１０４に表示する。設定画面には、「色」、「日付時間」、「出力情報（１）」、「出力情報（２）」の各タブが表示されている。ＣＰＵ１０１は、タブ「色」が選択されると、地の色及び終わりを示す色を設定するための設定画面の色タブ（図９（ａ）参照）を店員用表示部１０４に表示する。設定画面の色タブには、地の色または終わりを示す色として設定可能な色「白」、「黄」、「ピンク」、「赤」、「青」、「黒」が選択可能に表示されている。ＣＰＵ１０１は、設定画面の色タブにおいて、地の色または終わりを示す色として選択された色をレシート設定テーブルに書き込む（図９（ｃ）参照）。図示する例では、ＣＰＵ１０１は、地の色に「白」が選択され、終わりを示す色に「ピンク」が選択されたため、レシート設定テーブルのレシート種類「レシート（１）」に対応する地の色に「白」を書き込み、終わりを示す色に「ピンク」を書き込む。また、ＣＰＵ１０１は、「白」に対応する電圧の範囲を電圧（Ｖｒ）に書き込み、「ピンク」に対応する電圧の範囲を電圧（Ｖｅ）に書き込む。
【００５１】
また、ＣＰＵ１０１は、タブ「日付時間」が選択されると、使用曜日、使用開始時間、及び使用終了時間を設定するための設定画面の日付時間タブを店員用表示部１０４に表示する。ＣＰＵ１０１は、設定画面の日付時間タブにおいて設定された情報をレシート設定テーブルに書き込む。また、ＣＰＵ１０１は、タブ「出力情報（１）」が選択されると、開始時メッセージ、終わり検出メッセージ及びレシート比較ＮＧメッセージを設定するための設定画面の出力情報（１）タブ（図９（ｂ）参照）を店員用表示部１０４に表示する。設定画面の出力情報（１）タブには、設定可能なメッセージ「Ａ：○○時になります。△△色のレシートに交換してください。」、「Ｂ：レシートの残量が少なくなりました。ご注意下さい。」、「Ｃ：正しいレシートではありません。△△色のレシートに交換して下さい。」、「Ｄ：イベント終了です。白色のレシートに交換してください。」等が選択可能に表示されている。ＣＰＵ１０１は、設定画面の出力情報（１）タブにおいて、選択されたメッセージの識別情報をメッセージ設定テーブルに書き込む。図示する例では、ＣＰＵ１０１は、開始時メッセージに「Ｄ」が選択され、終わり検出メッセージに「Ｂ」が選択されたため、レシート設定テーブルのレシート種類「レシート（１）」に対応する開始時メッセージに「Ｄ」を書き込み、終わり検出メッセージに「Ｂ」を書き込む。また、ＣＰＵ１０１は、タブ「出力情報（２）」が選択されると、その他出力を設定するための設定画面の出力情報（２）タブを店員用表示部１０４に表示する。ＣＰＵ１０１は、設定画面の出力情報（２）タブにおいて設定された情報をレシート設定テーブルに書き込む。
設定画面の出力情報（１）タブのメッセージには、「○○時」や「△△色」等のブランク部があり、設定画面の色タブ及び設定画面の日付時間タブから色と使用開始時間を設定することで、その数値がブランク部に反映される。これにより、店員用表示部１０４に出力されたメッセージにはレシート設定テーブルに設定された内容が表示される。
【００５２】
また、当該設定画面において、既に設定されているレシート種類に関するレシート設定情報を変更することができる。ＣＰＵ１０１は、レシート設定情報が既に設定されている場合には、設定されている各項目の情報を設定画面に表示する。これにより、ユーザは、レシート設定テーブルに現在設定されている情報を確認することができる。そして、ＣＰＵ１０１は、設定画面において新たに設定された情報をレシート設定情報に上書する。
【００５３】
なお、図９に示した各設定画面は一例であり、設定画面内に表示される情報の編集を行うことも可能である。例えば、図９（ａ）に示す色タブにおいて、ＣＰＵ１０１は、不図示の追加ボタンを表示させるようにしてもよい。作業者は、色タブにない色のレシートの場合、この追加ボタンを押し、新たな色を追加するようにしてもよい。追加された色に関する情報は、ＣＰＵ１０１によって、レシート設定情報に上書される。または、作業者は、色タブに表示される色を示す画像を選択し、選択した色を示す画像、例えば「ピンク」を所定の時間以上タッチし続けることで、選択した色を示す情報を修正するようにしてもよい。例えば、「ピンク」を「紫色」に変更するようにしてもよい。
【００５４】
さらに、店員用表示部１０４に表示される画像は、図９（ａ）及び図９（ｂ）に示した画像に限られない。店員用表示部１０４に表示される画像は、図９（ａ）及び図９（ｂ）に示した順番と異なっていてもよく、タブは縦方向に表示されていてもよい。また、タブの数も図９（ａ）及び図９（ｂ）に示した例に限られず、作業者によって追加、削除、編集可能である。例えば、不図示のレシートタブを予め用意し、このタブでは、地の色と終わりを示す色の組み合わせのレシート毎に表示するようにしてもよい。
あるいは、このようなレシートにおける地の色と終わりを示す色の組み合わせを作業者が作成し、作成した組み合わせを登録させて、登録させた情報をタブ内に表示させるようにしてもよい。
また、各タブ内に表示される画像それぞれは、上述したように追加、編集、削除することが可能である。さらには、図９（ｃ）に示した設定に用いる情報についても、追加、編集、削除することが可能である。これらの場合、店員用表示部１０４に、各タブにおいて追加、編集、削除を表示させたり、ＰＯＳレジスタ２が有する操作部１０５によって作業を行うようにしてもよい。
そして、このように編集された情報は、例えば、図１に示したネットワークを介して、監視装置３に送信され、受け取った監視装置３が他のＰＯＳレジスタ２に送信して情報を上書きさせるようにしてもよい。
【００５５】
次に、レシート設定情報に設定する電圧（Ｖｒ）と電圧（Ｖｅ）について説明する。図１０は、本実施形態における検出センサ３５が検出する色と出力する電圧値との関係を示すグラフである。本グラフにおいて、横軸は色を示し、縦軸は電圧値（単位はＶ（ボルト））を示す。図１０（ａ）に示すように、輝度の高い色ほど電圧値は小さく、輝度の低い色ほど電圧値は大きい。また、レシートがない状態において検出センサ３５が出力する電圧値は、輝度の最も低い黒よりも大きい。以下、図１０（ｂ）に示すように、レシートがない状態における電圧値の下限をＶ１、地の色の電圧（Ｖｒ）の上限をＶｒ１、地の色の電圧（Ｖｒ）の下限をＶｒ２、終わりを示す色の電圧（Ｖｅ）の上限をＶｅ１、終わりを示す色の電圧（Ｖｅ）の下限をＶｅ２と称する。
【００５６】
ＣＰＵ１０１は、設定画面において、検出センサ３５が出力する電圧値を確認することが出来るので、この電圧値を参考にして、上・下限の数値を色ごとに設定することが可能となる。また、ＣＰＵ１０１は、検出センサ３５が出力する電圧値を中心値とし、この中心値から±○○Ｖの範囲を上・下限の数値として色ごとに設定してもよい。同様に、色の項目を設定により作ることも可能であり、何れの場合も、新たに設定された色や電圧値の範囲をレシート設定テーブルに書き込むことが出来る。また、ＲＡＭ１０３またはハードディスク１１２は、各色と電圧値の範囲とを対応付けて予め記憶していてもよい。その場合、ＣＰＵ１０１は、設定画面において、色が設定されると、色に対応する電圧値の範囲をＲＡＭ１０３またはハードディスク１１２から読み出し、読み出した電圧値の範囲をレシート設定テーブルに書き込む。
【００５７】
次に、図８に示すデータ例を参考にして、ＰＯＳレジスタ２の動作例を説明する。現在の日付時刻が月曜日の１６時である場合について説明する。ＣＰＵ１０１は、現在の日付時刻に対応するレシート種類「レシート（１）」を選択する。ＣＰＵ１０１は、検出センサ３５が出力する電圧値（以下、検出値とする）と、レシート種類「レシート（１）」に対応する電圧（Ｖｒ）または電圧（Ｖｅ）とを比較する。ＣＰＵ１０１は、検出値が電圧（Ｖｅ）の範囲内である場合には、レシートの色がピンクであり、レシートの終わりが近いと判定する。そして、ＣＰＵ１０１は、レシート種類「レシート（１）」に対応する終わり検出メッセージである「レシートの残量が少なくなりました。ご注意ください。」を店員用表示部１０４に表示する。これにより、作業者は、レシートの終わりが近いことを知ることができる。よって、レシートがなくなる前に交換用のレシートを予め準備することができ、また空いている時間があれば交換も可能である。
【００５８】
また、ＣＰＵ１０１は、検出値が電圧値Ｖ１以上である場合には、レシートがなくなったと判定し、「レシートがなくなりました、新しいレシートを入れてください。」のメッセージを店員用表示部１０４に表示する。これにより、作業者は、レシートがなくなったことを知ることができる。
【００５９】
ＣＰＵ１０１は、時間が経過し、現在の日付時刻が月曜日の１７時になると、現在の日付時刻に対応するレシート種類「レシート（２）」を選択する。そして、ＣＰＵ１０１は、レシート種類「レシート（２）」に対応する開始時メッセージである「１７時になります。黄色のレシートに交換してください。」を店員用表示部１０４に表示する。これにより、作業者のレシート交換忘れを防止することができる。
【００６０】
検出センサ３５は、このレシート交換のときに、印刷装置１０にレシート種類「レシート（３）」のレシートが収納された場合には、レシート（３）の地の色である赤色を示す検出値を出力する。ＣＰＵ１０１は、検出値が、レシート（２）の地の色である黄色を示す電圧（Ｖｒ）の範囲外であるため、レシート種類「レシート（２）」に対応するレシート交換ＮＧメッセージである「正しいレシートではありません。黄色のレシートに交換してください。」を店員用表示部１０４に表示する。これにより、作業者のレシート交換ミスを防止することができる。
【００６１】
次に、ＰＯＳレジスタ２の動作手順を説明する。図１１は、本実施形態におけるＰＯＳレジスタ２が実行するレシート判定処理の動作手順を表すフローチャートである。ＰＯＳレジスタ２は、本図に示す処理を、上部ケース９０が降ろされ印刷装置１０が閉じた状態になったとき、閉じた状態になった後の定期的、或は、レシート印刷開始時（頭だし中やから送り中）等に実行する。
なお、カバーフラグＣＶＦ＝０は、印刷装置１０のカバーが開いている状態を示し、カバーフラグＣＶＦ＝１は、印刷装置１０のカバーが閉じている状態を示す。次に、ＣＰＵ１０１は、エンドメッセージフラグＥＭＦを０に設定する。なお、エンドメッセージフラグＥＭＦ＝０は、終わり検出メッセージを未出力の状態を示し、エンドメッセージフラグＥＭＦ＝１は、終わり検出メッセージを出力済みの状態を示す。終わり検出メッセージが出力されると、エンドメッセージフラグをＥＭＦ＝１と設定し、以降のフローでは印刷装置１０のカバーが開（ＥＭＦ＝０）となるまで終わり検出メッセージが出力されることはない。
【００６２】
（ステップＳ１０１）ＣＰＵ１０１は、現在の日付時間に対応するレシート種類のレシート設定情報をレシート設定テーブルから読み出す。その後、ステップＳ１０２の処理に進む。
（ステップＳ１０２）ＣＰＵ１０１は、印刷装置１０が閉じた状態であるか否かを判定する。ＣＰＵ１０１は、印刷装置１０が閉じた状態であると判定した場合（ステップＳ１０２；Ｙｅｓ）、ステップＳ１０５の処理に進む。また、ＣＰＵ１０１は、印刷装置１０が開いた状態であると判定した場合（ステップＳ１０２；Ｎｏ）、ステップＳ１０３の処理に進む。すなわち、ＣＰＵ１０１は、印刷装置１０が閉じた状態であると検出されている間、ステップＳ１０１〜Ｓ１１５の処理を繰り返し、印刷装置１０が開いた状態であると検出されたとき、ステップＳ１０３、Ｓ１０４を行って各フラグをリセットし、ステップＳ１０１〜Ｓ１１５の処理（ステップＳ１０３、Ｓ１０４をのぞく）を停止する。
【００６３】
（ステップＳ１０３）ＣＰＵ１０１は、カバーフラグＣＶＦを０に設定する。その後、ステップＳ１０４の処理に進む。
（ステップＳ１０４）ＣＰＵ１０１は、エンドメッセージフラグＥＭＦを０に設定する。その後、ステップＳ１０２の処理に戻す。
【００６４】
（ステップＳ１０５）ＣＰＵ１０１は、レシート検出処理を実行する。具体的には、ＣＰＵ１０１は、検出センサ３５から出力される検出値を取得する。その後、ステップＳ１０６の処理に進む。
（ステップＳ１０６）ＣＰＵ１０１は、検出値が、ステップＳ１０１において読み出した地の色の電圧（Ｖｒ）の範囲内であるか否かを判定する。ＣＰＵ１０１は、検出値が電圧（Ｖｒ）の範囲内であると判定した場合（ステップＳ１０６；Ｙｅｓ）、処理をステップＳ１０７に進める。また、ＣＰＵ１０１は、検出値が電圧（Ｖｒ）の範囲外であると判定した場合（ステップＳ１０６；Ｎｏ）、ステップＳ１０８の処理に進む。
【００６５】
（ステップＳ１０７）ＣＰＵ１０１は、カバーフラグＣＶＦを１に設定する。その後、処理を終了し、ステップＳ１０１から処理を繰り返す。
（ステップＳ１０８）ＣＰＵ１０１は、検出値が、ステップＳ１０１において読み出した終わりを示す色の電圧（Ｖｅ）の範囲内であるか否かを判定する。ＣＰＵ１０１は、検出値が電圧（Ｖｅ）の範囲内であると判定した場合（ステップＳ１０８；Ｙｅｓ）、ステップＳ１０９の処理に進む。また、ＣＰＵ１０１は、検出値が電圧（Ｖｅ）の範囲外であると判定した場合（ステップＳ１０８；Ｎｏ）、ステップＳ１１３の処理に進む。
【００６６】
（ステップＳ１０９）ＣＰＵ１０１は、カバーフラグＣＶＦが１であるか否かを判定する。ＣＰＵ１０１は、カバーフラグＣＶＦが１であると判定した場合（ステップＳ１０９９；Ｙｅｓ）、ステップＳ１１０の処理に進む。ＣＰＵ１０１は、カバーフラグＣＶＦが０であると判定した場合（ステップＳ１０９；Ｎｏ）、ステップＳ１１３の処理に進む。
【００６７】
（ステップＳ１１０）ＣＰＵ１０１は、エンドメッセージフラグＥＭＦが０であるか否かを判定する。ＣＰＵ１０１は、エンドメッセージフラグＥＭＦが０であると判定した場合（ステップＳ１１０；Ｙｅｓ）、ステップＳ１１１の処理に進む。ＣＰＵ１０１は、エンドメッセージフラグＥＭＦが１であると判定した場合（ステップＳ１１０；Ｎｏ）、処理を終了し、ステップＳ１０１から処理を繰り返す。
【００６８】
（ステップＳ１１１）ＣＰＵ１０１は、ステップＳ１０１において読み出した終わり検出時メッセージを店員用表示部１０４に表示するとともに、音声出力部１０９から音声出力する。なお、終わり検出時メッセージとは、例えば「レシートの残量が少なくなりました。ご注意ください。」である。また、ＣＰＵ１０１は、ステップＳ１０１において読み出したその他出力の色でサインポール１１３を点灯させる。その後、ステップＳ１１２の処理に進む。
（ステップＳ１１２）ＣＰＵ１０１は、終わり検出時メッセージ出力済みのため、エンドメッセージフラグＥＭＦを１に設定する。その後、処理を終了し、ステップＳ１０１から処理を繰り返す。
【００６９】
（ステップＳ１１３）ＣＰＵ１０１は、検出値が、レシートなしを示す電圧の範囲（Ｖ１以上）であるか否かを判定する。ＣＰＵ１０１は、検出値が電圧Ｖ１以上である場合（ステップＳ１１３；Ｙｅｓ）、ステップＳ１１４の処理に進む。また、ＣＰＵ１０１は、検出値が電圧Ｖ１より小さい場合（ステップＳ１１３；Ｎｏ）、ステップＳ１１５の処理に進む。
【００７０】
（ステップＳ１１４）ＣＰＵ１０１は、レシートが収納されていないことを注意喚起するメッセージを店員用表示部１０４に表示するとともに、音声出力部１０９から音声出力する。なお、レシートが収納されていないことを注意喚起するメッセージとは、例えば「レシートがなくなりました、新しいレシートを入れてください。」である。また、ＣＰＵ１０１は、ステップＳ１０１において読み出したその他出力の色でサインポール１１３を点灯させる。その後、処理を終了し、ステップＳ１０１から処理を繰り返す。
（ステップＳ１１５）ＣＰＵ１０１は、ステップＳ１０１において読み出したレシート比較ＮＧメッセージを店員用表示部１０４に表示するとともに、音声出力部１０９から音声出力する。なお、レシート比較ＮＧメッセージとは、例えば「正しいレシートではありません。△△色のレシートに交換してください。」である。また、ＣＰＵ１０１は、ステップＳ１０１において読み出したその他出力の色でサインポール１１３を点灯させる。その後、処理を終了し、ステップＳ１０１から処理を繰り返す。
【００７１】
次に、具体的な処理の手順の一例を、図１１も参照して説明する。例えば、日時が土曜日に午前１１時になったとき、レシート（４）（図８）に交換される。レシートが、レシート（４）に正しく交換された場合について説明する。
レシートがＳ１０２で交換されたため、ＣＶＦ＝０、ＥＭＦ＝０である。ステップＳ１０１において、ＣＰＵ１０１は、レシート（４）の設定を読み出している。そして、ＣＰＵ１０１は、ステップＳ１０６において、レシートの地の色を識別し、検出値が青であるため、ステップＳ１０７においてＣＶＦ＝１に設定する。次のルーチンでは、カバーが閉じられているため、終わりに近づくまで、ＣＰＵ１０１は、ステップＳ１０１、Ｓ１０２、Ｓ１０５、Ｓ１０６、及びＳ１０７を繰り返す。
【００７２】
次に、レシートが、レシート（４）ではなく誤ってレシート（１）に交換された場合について説明する。
レシートがＳ１０２で交換されたため、ステップＳ１０３及びＳ１０４でＣＶＦ＝０、ＥＭＦ＝０に設定される。そして、ＣＰＵ１０１は、ステップＳ１０６において、レシートの地の色を識別し、検出値が青ではなく白であるため、処理をステップＳ１０８に進める。この時点では、レシートがまだ終わり近くではないので、地の色である白である。このため、ＣＰＵ１０１は、ステップＳ１０８において、検出値が白色であると識別する。ステップＳ１０２において、カバーが開けられてレシートが交換されているため、ＣＶＦが０である。このため、ステップＳ１１３を経て、ステップＳ１１５において、ＣＰＵ１０１は、レシート比較ＮＧメッセージを出力する。
【００７３】
次に、レシートが、レシート（４）が終わりに近づいた場合について説明する。
レシート（４）交換後、レシートの地の色が正しかったため、ステップＳ１０７でＣＶＦ＝１に設定され、交換時のルーチンにおいてステップＳ１０４でＥＭＦ＝０に設定されている。レシートが終わりに近づいたルーチンのステップＳ１０８において、地の色が青色ではなく白であるため、ＣＰＵ１０１は、検出値が終わりを示す色であると識別する。そして、ＣＶＦ＝１であるため、ステップＳ１０９、Ｓ１１０を経て、ＣＰＵ１０１は、終わり検出時メッセージを出力する。そして、ステップＳ１１２において、ＥＭＦ＝１に設定されるため、ＣＰＵ１０１は、次のルーチンのステップＳ１１０において、ＥＭＦ＝１であると判定して、終わり検出時メッセージを出力しない。
【００７４】
図１２は、本実施形態におけるＰＯＳレジスタ２が実行する開始判定処理の動作手順を表すフローチャートである。ＰＯＳレジスタ２は、本図に示す処理を定期的に実行する。
（ステップＳ２０１）ＣＰＵ１０１は、各レシート種類の使用曜日と使用開始時間と使用終了時間とをレシート設定テーブルから読み出す。その後、ステップＳ２０２の処理に進む。
（ステップＳ２０２）ＣＰＵ１０１は、ステップＳ２０１において読み出した情報に基づいて、現在の日付時刻が、いずれかのレシート種類の使用開始時間か否かを判定する。ＣＰＵ１０１は、現在の日付時刻がいずれかのレシート種類の使用開始時間である場合にはステップＳ２０３の処理に進む。また、ＣＰＵ１０１は、現在の日付時刻がいずれのレシート種類の使用開始時間でもない場合には処理を終了する。
（ステップＳ２０３）ＣＰＵ１０１は、現在の日付日時が使用開始時間であるレシート種類に対応する開始時メッセージを店員用表示部１０４に表示するとともに、音声出力部１０９から音声出力する。また、ＣＰＵ１０１は、当該レシート種類に対応する出力の色でサインポール１１３を点灯させる。その後、処理を終了する。
【００７５】
このように、本実施形態によれば、ＰＯＳレジスタ２は、印刷装置１０に収納されているレシートの色が、現在の日付時刻に対応するレシート種類の地の色でも終わりを示す色でもない場合には、レシート比較ＮＧメッセージ（レシートの交換を促すメッセージ）を出力する。これにより、作業者は、レシートを交換しなければならないことを知ることができる。よって、レシートの入れ間違いや交換忘れを防止することができる。
【００７６】
また、本実施形態によれば、ＰＯＳレジスタ２は、印刷装置１０に収納されているレシートの色が、現在の日付時刻に対応するレシート種類の終わりを示す色である場合には、終わり検出時メッセージ（レシートがなくなることを報知するメッセージ）を出力する。これにより、作業者は、レシートの終わりが近いため、交換する必要があることを知ることができる。よって、レシートが終わる前に、レシートの交換を促すことができる。
【００７７】
また、本実施形態によれば、ＰＯＳレジスタは、いずれかのレシート種類の使用開始時間になると、使用開始時間になったレシート種類に対応する開始時メッセージ（レシートの交換を促すメッセージ）を出力する。これにより、作業者は、イベントの開始または終了のため、レシートを交換する必要があることを知ることができる。
【００７８】
また、近年では、登録及び精算をお客が行うセルフシステムも普及している。このシステムでは、レシートの状態を店舗の作業者が把握できないため、お客の作業中にレシートが終わってしまうとお客を待たせてしまうケースもあった。本発明を利用することで、レシート終了が近いことを作業者に報知することができるため、システムを利用するお客をレシート切れで待たせてしまうケースを軽減することができる。
【００７９】
以上、この発明の実施形態について図面を参照して詳述してきたが、具体的な構成はこの実施形態に限られるものではなく、この発明の要旨を逸脱しない範囲の設計等も含まれる。
【００８０】
例えば、上述した実施形態では、シート発行装置をＰＯＳレジスタ２に搭載されたレシート発行装置として説明したが、これに限らず、シート発行装置は、例えば、ラベルを発行するラベルプリンタや、チケットを発行するチケットプリンタ、券を発行する券売機、血圧計の測定結果を印刷する印刷装置や、店舗等の量り売り用の秤に接続されている印刷装置、レンタル店においてレンタル時にレシートを発行する印刷装置等、枚葉状のシートを発行するものであればよい。またレシートとは記録紙全般を指し、明細書や領収書、クーポン等も含まれている。
【００８１】
また、上述した実施形態では、印刷装置１０のケースの開閉を検出する開閉検出部をマイクロＳＷとしたが、これに限らず、開閉検出部は反射型センサや透過型センサ、磁気スイッチなど、ケースの開閉を検出できるものであればよい。
【００８２】
また、上述した実施形態では、ＰＯＳレジスタ２は、反射型センサでレシートの色を検出しているが、これに限らず、ＣＣＤ（Ｃｈａｒｇｅ  Ｃｏｕｐｌｅｄ  Ｄｅｖｉｃｅ）カメラとのその出力値（ＲＧＢ）に基づいて色を検出する方法や、分光器による波長に基づいて色を検出する方法等、他の方法によりレシートの色を検出してもよい。
【００８３】
また、上述した実施形態では、印刷装置１０は検出センサ３５を１つ備えているが、これに限らず、検出センサ３５を複数備えてもよい。例えば、印刷装置１０は、地の色を検出するための検出センサ３５と、終わりを示す色を検出するための検出センサ３５とを備えてもよい。或いは、印刷装置１０は、レシートの流れ方向に複数個所検出センサ３５を設けてもよい。
【００８４】
また、上述した実施形態では、１つの色設定画面において、地の色と終わりを示す色とを設定しているが、これに限らず、地の色と終わりを示す色とを別々に設定できるようにしてもよい。例えば、地の色に設定可能な色のグループ、終わりを示す色に設定可能な色のグループに分類して、各グループの色のみをそれぞれ選択可能にしてもよい。また、同じ色（例えば、ピンク）でも地の色と終わりを示す色とで異なる電圧値を検出する（輝度が異なる）場合があるため、地の色の「ピンク」と終わりを示す色の「ピンク」とで異なる電圧範囲を設定してもよい。
【００８５】
また、上述した実施形態では、ＰＯＳレジスタ２は、店員用表示部１０４にメッセージを表示して、レシートに関する出力（レシートの終わりが近づいたこと、レシートがなくなったこと、レシートを交換する時間になったこと、または、異なるレシートが収納されていること等）をしているが、これに限らず、印刷装置１０によるメッセージの印字、回転灯の点灯、ブザー鳴動等により出力してもよい。
【００８６】
また、ＰＯＳレジスタ２は、レシートに関する出力をする際に、レシートの終わりが近づいたこと、レシートがなくなったこと、レシートを交換する日付時刻がきたこと、または、異なるレシートが収納されていること等を監視装置３またはストアコントローラ４に通知してもよい。
【００８７】
なお、上記に説明したＰＯＳレジスタ２及びＰＯＳシステム１を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００８８】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９０】
１…ＰＯＳシステム  ２…ＰＯＳレジスタ  ３…監視装置  ４…ストアコントローラ  １０…印刷装置  １１…下部ケース  ３５…検出センサ  ９０…上部ケース  １０１…ＣＰＵ  １０２…ＲＯＭ  １０３…ＲＡＭ  １０４…店員用表示部  １０５…操作部  １０６…客用表示部  １０７…釣銭釣札機  １０８…スキャナ部  １０９…音声出力部  １１０…通信部  １１１…撮像部  １１２…ハードディスク  １１３…サインポール  ５００…開閉検出部（マイクロＳＷ側）  ５０１…開閉検出部（凸部）
【図１】
2015201036.tif 000003
【図２】
2015201036.tif 000004
【図３】
2015201036.tif 000005
【図４】
2015201036.tif 000006
【図５】
2015201036.tif 000007
【図６】
2015201036.tif 000008
【図７】
2015201036.tif 000009
【図８】
2015201036.tif 000010
【図９】
2015201036.tif 000011
【図１０】
2015201036.tif 000012
【図１１】
2015201036.tif 000013
【図１２】
2015201036.tif 000014